(57)【要約】【課題】基準信号受信品質を効率よく測定すること。【解決手段】測定回路１００は、無線端末における受信信号に基づく基準信号受信電力および基準信号受信品質を測定する。ＲＳＳＩ測定部１１０は、受信信号に基づく受信信号強度を時間領域で測定する。ＲＳＲＰ測定部１２０は、受信信号に含まれる基準信号に基づく基準信号受信電力を測定する。補正部１３０は、ＲＳＳＩ測定部１１０によって測定された受信信号強度を、ＲＳＲＰ測定部１２０によって測定された基準信号受信電力に基づいて補正する。ＲＳＲＱ算出部１４０は、ＲＳＲＰ測定部１２０によって測定された基準信号受信電力と、補正部１３０によって補正された基準信号受信電力と、の比を示す基準信号受信品質を算出する。測定回路１００は、ＲＳＲＰ測定部１２０によって測定された基準信号受信電力と、ＲＳＲＱ算出部１４０によって算出された基準信号受信品質と、を出力する。【選択図】図１−２
2014132733.tif 000002
【特許請求の範囲】
【請求項１】
無線通信装置の受信信号に基づく受信信号強度を時間領域で測定する第１測定部と、
前記受信信号に含まれる基準信号に基づく基準信号受信電力を測定する第２測定部と、
前記第１測定部によって測定された受信信号強度を、前記第２測定部によって測定された基準信号受信電力に基づいて補正する補正部と、
前記第２測定部によって測定された基準信号受信電力と、前記補正部によって補正された基準信号受信電力と、の比を示す基準信号受信品質を算出する算出部と、
を備え、前記第２測定部によって測定された基準信号受信電力と、前記算出部によって算出された基準信号受信品質と、を出力することを特徴とする測定回路。
【請求項２】
前記補正部は、前記基準信号受信電力と、前記受信信号の帯域と、所定の測定帯域と、に基づいて、前記第１測定部によって測定された受信信号強度から、前記測定帯域とは異なる帯域の干渉電力を除く補正を行うことを特徴とする請求項１に記載の測定回路。
【請求項３】
他の無線通信装置との間で無線通信を行う無線通信装置において、
受信信号に基づく受信信号強度を時間領域で測定する第１測定部と、
前記受信信号に含まれる基準信号に基づく基準信号受信電力を測定する第２測定部と、
前記第１測定部によって測定された受信信号強度を、前記第２測定部によって測定された基準信号受信電力に基づいて補正する補正部と、
前記第２測定部によって測定された基準信号受信電力と、前記補正部によって補正された基準信号受信電力と、の比を示す基準信号受信品質を算出する算出部と、
前記第２測定部によって測定された基準信号受信電力と、前記算出部によって算出された基準信号受信品質と、を前記他の無線通信装置へ通知する通知部と、
を備えることを特徴とする無線通信装置。
【請求項４】
無線受信した信号を透過させ所定の周波数応答特性を有するアナログフィルタと、前記アナログフィルタを透過した信号をデジタル信号に変換する変換部と、を含むアナログ回路を備え、
前記受信信号は、前記変換部によってデジタル信号に変換された信号であり、
前記補正部は、前記周波数応答特性を示す情報と、前記アナログ回路の熱雑音を示す情報と、に基づいて、前記第１測定部によって測定された受信信号強度を補正することを特徴とする請求項３に記載の無線通信装置。
【請求項５】
無線通信装置の受信信号に基づく受信信号強度を時間領域で測定する第１測定部と、
前記受信信号に含まれる基準信号に基づく基準信号受信電力を測定する第２測定部と、
前記第１測定部によって測定された受信信号強度と、前記第２測定部によって測定された基準信号受信電力と、の比を示す基準信号受信品質を算出する算出部と、
前記算出部によって算出された基準信号受信品質を、前記第２測定部によって測定された基準信号受信電力に基づいて補正する補正部と、
を備え、前記第２測定部によって測定された基準信号受信電力と、前記補正部によって補正された基準信号受信品質と、を出力することを特徴とする測定回路。
【請求項６】
無線通信装置の受信信号に基づく受信信号強度を時間領域で測定し、
前記受信信号に含まれる基準信号に基づく基準信号受信電力を測定し、
測定した前記受信信号強度を、測定した前記基準信号受信電力に基づいて補正し、
測定した前記基準信号受信電力と、補正した前記基準信号受信電力と、の比を示す基準信号受信品質を算出し、
測定した前記基準信号受信電力と、算出した前記基準信号受信品質と、を出力する、
ことを特徴とする測定方法。
【発明の詳細な説明】
【技術分野】
【０００１】
本発明は、測定回路、無線通信装置および測定方法に関する。
【背景技術】
【０００２】
従来、移動無線通信装置において、温度の変動や電源電圧の変動による特性変化に応じて補正した受信電界強度を検出する技術が知られている（たとえば、下記特許文献１参照。）。
【０００３】
近年、無線通信のデータ量の増加に対応するため、周波数利用効率が高いＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）を用いた移動通信システムが実用化されている。たとえば、携帯電話システムとして、３ＧＰＰ（３ｒｄ  Ｇｅｎｅｒａｔｉｏｎ  Ｐａｒｔｎｅｒｓｈｉｐ  Ｐｒｏｊｅｃｔ）においてＬＴＥ（Ｌｏｎｇ  Ｔｅｒｍ  Ｅｖｏｌｕｔｉｏｎ）の標準規格が策定されている。
【０００４】
ＬＴＥにおいては、基地局から無線端末への通信であるダウンリンク（Ｄｏｗｎｌｉｎｋ）にＯＦＤＭが用いられる。また、無線端末から基地局への通信であるアップリンク（Ｕｐｌｉｎｋ）にＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）が用いられる。
【０００５】
ＬＴＥでは、複数の基地局が存在する場合に、無線端末が最適な基地局と接続するハンドオーバが用いられる。無線端末は、接続中の基地局との通信の合間に、定期的に周辺のセル（基地局と通信可能なエリア）を検出し、そのセルの受信品質を接続中の基地局に報告する（Ｍｅａｓｕｒｅｍｅｎｔ）。無線端末から報告を受けた基地局は、セルとその受信品質のリストから最適なセルを選択し、接続先の基地局を変更する処理を行う。
【０００６】
基地局に報告される受信品質には、たとえば、ＲＳＲＰ（Ｒｅｆｅｒｅｎｃｅ  Ｓｉｇｎａｌ  Ｒｅｃｅｉｖｅｄ  Ｐｏｗｅｒ：基準信号受信電力）やＲＳＲＱ（Ｒｅｆｅｒｅｎｃｅ  Ｓｉｇｎａｌ  Ｒｅｃｅｉｖｅｄ  Ｑｕａｌｉｔｙ：基準信号受信品質）がある。ＲＳＲＱはＲＳＲＰおよびＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度）から算出される。ＲＳＲＰやＲＳＳＩは、ダウンリンクで送信されるＲＳ（Ｒｅｆｅｒｅｎｃｅ  Ｓｉｇｎａｌ：基準信号）を含むＯＦＤＭシンボルの受信信号を用いて測定される。
【０００７】
たとえば３ＧＰＰの定義において、ＲＳＳＩは、所定数のリソースブロック上で基準信号を含むＯＦＤＭシンボルで観測されるトータル受信電力（セービングセル、隣接セル、熱雑音など）の平均値と規定されている。このＲＳＳＩを測定する方法には、受信信号強度を時間領域で測定する時間領域法と、受信信号強度を周波数領域で測定する周波数領域法と、がある。
【先行技術文献】
【特許文献】
【０００８】
【特許文献１】特開平７−３５８００号公報
【発明の概要】
【発明が解決しようとする課題】
【０００９】
しかしながら、上述した従来技術では、基準信号受信品質を効率よく測定することができない場合がある。たとえば、受信信号強度を周波数領域で測定すると、時間領域の受信信号を受信タイミングに合わせて周波数帯域に変換することになるため、処理量が増大する。一方、受信信号強度を時間領域で測定すると、測定対象の帯域以外の電力が測定結果に含まれてしまうため、基準信号受信品質を精度よく算出することができない。
【００１０】
本発明は、上述した従来技術による問題点を解消するため、基準信号受信品質を効率よく測定することができる測定回路、無線通信装置および測定方法を提供することを目的とする。
【課題を解決するための手段】
【００１１】
上述した課題を解決し、目的を達成するため、本発明の一側面によれば、無線端末における受信信号に基づく基準信号受信電力および基準信号受信品質を測定する場合において、前記受信信号に基づく受信信号強度を時間領域で測定し、前記受信信号に含まれる基準信号に基づく基準信号受信電力を測定し、測定した受信信号強度を、測定した基準信号受信電力に基づいて補正し、測定した基準信号受信電力と、補正した基準信号受信電力と、の比を示す基準信号受信品質を算出し、測定した基準信号受信電力と、算出した基準信号受信品質と、を出力する測定回路、無線通信装置および測定方法が提案される。
【００１２】
また、本発明の別の側面によれば、無線端末における受信信号に基づく基準信号受信電力および基準信号受信品質を測定する場合において、前記受信信号に基づく受信信号強度を時間領域で測定し、前記受信信号に含まれる基準信号に基づく基準信号受信電力を測定し、測定した受信信号強度と、測定した基準信号受信電力と、の比を示す基準信号受信品質を算出し、算出した基準信号受信品質を、測定した基準信号受信電力に基づいて補正し、測定した基準信号受信電力と、補正した基準信号受信品質と、を出力する測定回路、無線通信装置および測定方法が提案される。
【発明の効果】
【００１３】
本発明の一側面によれば、基準信号受信品質を効率よく測定することができるという効果を奏する。
【図面の簡単な説明】
【００１４】
【図１−１】図１−１は、実施の形態１にかかる測定回路の構成の一例を示す図である。
【図１−２】図１−２は、図１−１に示した測定回路における信号の流れの一例を示す図である。
【図２】図２は、ダウンリンクのサブフレームの構成の一例を示す図である。
【図３−１】図３−１は、時間領域の信号の一例を示す図である。
【図３−２】図３−２は、周波数領域の信号の一例を示す図である。
【図４−１】図４−１は、ＲＳＳＩ測定部によって測定されるＲＳＳＩの一例を示す図である。
【図４−２】図４−２は、周波数領域で測定した場合のＲＳＳＩの一例を示す図である。
【図５−１】図５−１は、測定回路を適用した無線端末のハードウェア構成の一例を示す図である。
【図５−２】図５−２は、図５−１に示した無線端末における信号の流れの一例を示す図である。
【図６】図６は、実施の形態１にかかる測定回路の動作の一例を示すフローチャートである。
【図７−１】図７−１は、測定回路の変形例を示す図である。
【図７−２】図７−２は、図７−１に示した測定回路における信号の流れの一例を示す図である。
【図８−１】図８−１は、実施の形態２にかかる測定回路の構成の一例を示す図である。
【図８−２】図８−２は、図８−１に示した測定回路における信号の流れの一例を示す図である。
【図９−１】図９−１は、受信信号の一例を示す図である。
【図９−２】図９−２は、アナログフィルタの透過特性の一例を示す図である。
【図９−３】図９−３は、アナログフィルタを透過した受信信号の一例を示す図である。
【図１０−１】図１０−１は、アナログ回路において発生する熱雑音の一例を示す図である。
【図１０−２】図１０−２は、アナログフィルタによる熱雑音の変化の一例を示す図である。
【図１１−１】図１１−１は、ＲＳＳＩ測定部によって測定されるＲＳＳＩの一例を示す図である。
【図１１−２】図１１−２は、周波数領域で測定した場合のＲＳＳＩの一例を示す図である。
【図１２】図１２は、実施の形態２にかかる無線端末の動作の一例を示すフローチャートである。
【図１３】図１３は、ＲＳＳＩの測定結果の一例を示す図である。
【発明を実施するための形態】
【００１５】
以下に添付図面を参照して、本発明にかかる測定回路、無線通信装置および測定方法の実施の形態を詳細に説明する。
【００１６】
（実施の形態１）
（実施の形態１にかかる測定回路の構成）
図１−１は、実施の形態１にかかる測定回路の構成の一例を示す図である。図１−２は、図１−１に示した測定回路における信号の流れの一例を示す図である。図１−１，図１−２に示すように、実施の形態１にかかる測定回路１００は、ＲＳＳＩ測定部１１０と、ＲＳＲＰ測定部１２０と、補正部１３０と、ＲＳＲＱ算出部１４０と、を備えている。
【００１７】
測定回路１００は、入力された受信信号に基づくＲＳＲＰおよびＲＳＲＱを測定する。受信信号はたとえばＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）により多重化された信号である。ただし、受信信号にはＯＦＤＭに限らず各種の多重化方式を適用することができる。
【００１８】
＜ＲＳＳＩ測定部１１０＞
ＲＳＳＩ測定部１１０は、測定回路１００へ入力された受信信号に基づくＲＳＳＩを時間領域により測定する。たとえば、ＲＳＳＩ測定部１１０は、受信信号の各ＯＦＤＭシンボルのうち、ＲＳを含むＯＦＤＭシンボルの時間領域の受信信号の平均電力を測定する。ＲＳＳＩ測定部１１０は、測定したＲＳＳＩを補正部１３０へ出力する。
【００１９】
＜ＲＳＲＰ測定部１２０＞
ＲＳＲＰ測定部１２０は、測定回路１００へ入力された受信信号に基づくＲＳＲＰを測定する。具体的には、ＲＳＲＰ測定部１２０は、受信信号に含まれるＲＳの電力を測定する。たとえば、ＲＳＲＰ測定部１２０は、受信信号をＦＦＴ（Ｆａｓｔ  Ｆｏｕｒｉｅｒ  Ｔｒａｎｓｆｏｒｍ：高速フーリエ変換）により周波数領域に変換し、周波数領域に変換した受信信号に基づいてＲＳＲＰを周波数領域で測定する。ただし、ＲＳＲＰ測定部１２０は、ＲＳＲＰを時間領域で測定してもよい。
【００２０】
ＲＳＲＰ測定部１２０は、測定したＲＳＲＰを補正部１３０およびＲＳＲＱ算出部１４０へ出力する。また、ＲＳＲＰ測定部１２０は、測定したＲＳＲＰを測定回路１００から出力する。
【００２１】
＜補正部１３０＞
補正部１３０は、ＲＳＳＩ測定部１１０から出力されたＲＳＳＩを、ＲＳＲＰ測定部１２０から出力されたＲＳＲＰに基づいて補正する。具体的には、補正部１３０は、ＲＳＳＩ測定部１１０から出力された時間領域のＲＳＳＩに対して、ＲＳＲＰ測定部１２０から出力されたＲＳＲＰを用いて有効帯域外の干渉電力の補正を行うことによりＲＳＳＩを補正する。補正部１３０は、補正したＲＳＳＩをＲＳＲＱ算出部１４０へ出力する。
【００２２】
＜ＲＳＲＱ算出部１４０＞
ＲＳＲＱ算出部１４０は、補正部１３０から出力されたＲＳＳＩと、ＲＳＲＰ測定部１２０から出力されたＲＳＲＰと、に基づいてＲＳＲＱを算出する。たとえば、ＲＳＲＱ算出部１４０は、補正部１３０から出力されたＲＳＳＩと、ＲＳＲＰ測定部１２０から出力されたＲＳＲＰと、の比を算出することによりＲＳＲＱを算出する。ＲＳＲＱ算出部１４０は、算出したＲＳＲＱを測定回路１００から出力する。
【００２３】
これにより、測定回路１００へ入力された受信信号に基づくＲＳＲＰおよびＲＳＲＱを出力することができる。また、ＲＳＲＱとともに出力するために測定したＲＳＲＰを利用して、時間領域で測定したＲＳＳＩを補正することにより、ＲＳＳＩを周波数領域で測定しなくてもＲＳＲＱを精度よく算出することができる。このため、処理量の増大を抑えつつＲＳＲＱを精度よく算出することができる。
【００２４】
（ダウンリンクのサブフレームの構成）
図２は、ダウンリンクのサブフレームの構成の一例を示す図である。図２において、横軸は時間を示し、縦軸は周波数を示している。１つのサブフレーム２０１にはＮｓｙｍ個のＯＦＤＭシンボルが含まれる。
【００２５】
１つのＯＦＤＭシンボル２０２におけるＮｃ個のサブキャリア（ＳＣ：Ｓｕｂ  Ｃａｒｒｉｅｒ）には、ＱＰＳＫ（Ｑｕａｄｒａｔｕｒｅ  Ｐｈａｓｅ  Ｓｈｉｆｔ  Ｋｅｙｉｎｇ：四位相偏移変調）、１６ＱＡＭ（Ｑｕａｄｒａｔｕｒｅ  Ａｍｐｌｉｔｕｄｅ  Ｍｏｄｕｌａｔｉｏｎ：直角位相振幅変調）、６４ＱＡＭなどで変調された信号が配置される。１つの無線フレームには１０個のサブフレームが含まれる。
【００２６】
また、サブフレーム２０１には、無線端末で伝搬路の状態を測定するためのＲＳ（基準信号）が含まれる（図２の斜線部）。たとえばＬＴＥでは、図２に示すように、サブフレーム中の数個のＯＦＤＭシンボルにおいて６サブキャリアおきにＲＳが配置される。ＲＳは無線端末において既知の所定値であるため、無線端末は、受信信号に含まれるＲＳと所定値とを比較することによって伝搬路の状態を測定することができる。
【００２７】
（時間領域の信号）
図３−１は、時間領域の信号の一例を示す図である。図３−１において、横方向は時間を示し、縦方向は強度を示している。図３−１に示す信号３１０は、時間領域の信号を示している。基地局は、周波数領域の信号をたとえばＩＦＦＴ（Ｉｎｖｅｒｓｅ  Ｆａｓｔ  Ｆｏｕｒｉｅｒ  Ｔｒａｎｓｆｏｒｍ：逆高速フーリエ変換）によって時間領域の信号３１０に変換して無線送信する。無線端末は、基地局から送信された時間領域の信号３１０を受信する。
【００２８】
（周波数領域の信号）
図３−２は、周波数領域の信号の一例を示す図である。図３−２において、横方向は周波数を示し、縦方向は強度を示している。図３−２に示す信号３２０は、周波数領域の信号を示している。無線端末は、基地局から受信した時間領域の信号３１０をたとえばＦＦＴ（Ｆａｓｔ  Ｆｏｕｒｉｅｒ  Ｔｒａｎｓｆｏｒｍ：高速フーリエ変換）によって周波数領域の信号３２０に変換して受信処理を行う。
【００２９】
測定回路１００は、通信中のセル（サービングセル）のシステム帯域幅であるｄｌ−Ｂａｎｄｗｉｄｔｈと、測定（Ｍｅａｓｕｒｅｍｅｎｔ）を行う最大の帯域幅であるａｌｌｏｗｅｄＭｅａｓＢａｎｄｗｉｄｔｈと、を取得可能である。以下、ｄｌ−Ｂａｎｄｗｉｄｔｈをシステム帯域幅Ｎｄｌと称し、ａｌｌｏｗｅｄＭｅａｓＢａｎｄｗｉｄｔｈを測定帯域Ｎｍｅａｓと称する。
【００３０】
システム帯域幅Ｎｄｌおよび測定帯域Ｎｍｅａｓのそれぞれは、たとえば６ＲＢ、１５ＲＢ、２５ＲＢ、５０ＲＢ、７５ＲＢ、１００ＲＢのいずれかになる。たとえばシステム帯域幅Ｎｄｌ＞測定帯域Ｎｍｅａｓである場合は、周波数領域法で測定を行うと、隣接セルの有効帯域幅のみを精度よく測定することができる。一方、時間領域法で測定を行うと、測定帯域Ｎｍｅａｓで指定された有効帯域外の干渉電力も含まれる。
【００３１】
隣接セルのシステム帯域幅は、たとえばＰＢＣＨ（Ｐｈｙｓｉｃａｌ  Ｂｒｏａｄｃａｓｔ  Ｃｈａｎｎｅｌ）を復号することにより得ることができる。しかし、復号処理に時間がかかるため、隣接セルの測定を行う場合にはＰＢＣＨの復号は行わない場合がある。この場合は、基地局から中心周波数ごとに通知される測定帯域Ｎｍｅａｓを用いて測定を行うことができる。
【００３２】
（ＲＳＳＩ測定部によって測定されるＲＳＳＩ）
図４−１は、ＲＳＳＩ測定部によって測定されるＲＳＳＩの一例を示す図である。図４−１において、横方向は周波数を示している。図４−１に示すシステム帯域幅Ｎｄｌおよび測定帯域Ｎｍｅａｓは、それぞれ基地局から通知されたｄｌ−ＢａｎｄｗｉｄｔｈおよびａｌｌｏｗｅｄＭｅａｓＢａｎｄｗｉｄｔｈである。
【００３３】
図４−１に示すＲＳＳＩ４００は、ＲＳＳＩ測定部１１０によって測定される時間領域のＲＳＳＩである。図４−１に示すように、時間領域によって測定されるＲＳＳＩ４００には、測定対象セルの信号電力４１０と、サービングセルからの干渉電力４２０と、が含まれる。また、時間領域によって測定されるＲＳＳＩ４００には、システム帯域幅Ｎｄｌの全域の干渉電力が含まれる。このため、ＲＳＳＩ４００には、測定帯域Ｎｍｅａｓの外側の干渉電力も含まれる。
【００３４】
信号電力４１０の大きさをＳとし、干渉電力４２０の大きさをＩとする。この場合は、ＲＳＳＩ測定部１１０によって測定される時間領域のＲＳＳＩ４００の大きさは、たとえば下記（１）式によって示すことができる。
【００３５】
【数１】
2014132733.tif 000003
【００３６】
（周波数領域で測定した場合のＲＳＳＩ）
図４−２は、周波数領域で測定した場合のＲＳＳＩの一例を示す図である。図４−２において、図４−１に示した部分と同様の部分については同一の符号を付して説明を省略する。仮に、受信信号をＦＦＴ（Ｆａｓｔ  Ｆｏｕｒｉｅｒ  Ｔｒａｎｓｆｏｒｍ：高速フーリエ変換）により周波数領域に変換してＲＳＳＩを測定した場合は、図４−２に示すように、測定帯域ＮｍｅａｓのみのＲＳＳＩ４０１が測定される。図４−２に示す干渉電力４２１は、測定帯域Ｎｍｅａｓに含まれる干渉電力である。図４−２に示す干渉電力４２１の大きさをＩａとする。
【００３７】
ＲＳＳＩ４０１の大きさをＲＳＳＩａとすると、ＲＳＳＩａはたとえば下記（２）式によって示すことができる。すなわち、時間領域で測定された干渉電力Ｉ（図４−１に示した干渉電力４２０）を、システム帯域幅Ｎｄｌと測定帯域Ｎｍｅａｓとの比によって換算し、換算した干渉電力を測定対象セルの信号電力Ｓに加えることによってＲＳＳＩａを算出することができる。
【００３８】
【数２】
2014132733.tif 000004
【００３９】
上記（２）式に上記（１）式を代入すると、測定帯域ＮｍｅａｓのみのＲＳＳＩ４０１の大きさＲＳＳＩａは下記（３）式のように示すことができる。
【００４０】
【数３】
2014132733.tif 000005
【００４１】
また、たとえばＲＳＳＩは１２サブキャリアにわたって測定される場合は、信号電力４１０の大きさＳは、ＲＳＲＰ測定部１２０によって測定されたＲＳＲＰを用いて下記（４）式のように示すことができる。すなわち、ＲＳＲＰ測定部１２０によって測定されたＲＳＲＰを、１２および測定帯域Ｎｍｅａｓを乗ずることによってＲＳＳＩの帯域幅に変換し、信号電力４１０の大きさＳを算出することができる。
【００４２】
【数４】
2014132733.tif 000006
【００４３】
したがって、補正部１３０は、ＲＳＳＩ測定部１１０から出力されたＲＳＳＩを、上記（３）式および上記（４）式と、ＲＳＲＰと、システム帯域幅Ｎｄｌと、測定帯域Ｎｍｅａｓと、によって補正し、ＲＳＳＩ４０１の大きさＲＳＳＩａを得ることができる。ＲＳＲＰは、ＲＳＲＰ測定部１２０から補正部１３０へ出力するＲＳＲＰである。システム帯域幅Ｎｄｌおよび測定帯域Ｎｍｅａｓは、たとえば基地局等から通知されることにより既知である。補正部１３０は、測定帯域ＮｍｅａｓのみのＲＳＳＩ４０１の大きさＲＳＳＩａをＲＳＲＱ算出部１４０へ出力する。
【００４４】
このように、補正部１３０は、ＲＳＲＰと、システム帯域幅Ｎｄｌと、測定帯域Ｎｍｅａｓと、に基づいて、ＲＳＳＩ測定部１１０によって測定されたＲＳＳＩから、測定帯域Ｎｍｅａｓとは異なる帯域の干渉電力を除く補正を行う。
【００４５】
これにより、たとえば、所定数のリソースブロック上で基準信号を含むＯＦＤＭシンボルで観測されるトータル受信電力（セービングセル、隣接セル、熱雑音など）の平均値という、３ＧＰＰにおいて定義されたＲＳＳＩを得ることができる。
【００４６】
（測定回路を適用した無線端末のハードウェア構成）
図５−１は、測定回路を適用した無線端末のハードウェア構成の一例を示す図である。図５−２は、図５−１に示した無線端末における信号の流れの一例を示す図である。図５−１，図５−２に示す無線端末５００は、受信アンテナ５１１と、送信アンテナ５１２と、アナログ回路５２０と、デジタルベースバンド信号処理部５３０と、を備える。
【００４７】
＜受信アンテナ５１１および送信アンテナ５１２＞
受信アンテナ５１１は、電波を受信し、受信結果を示す受信信号をアナログ回路５２０へ出力する。送信アンテナ５１２は、アナログ回路５２０から出力される送信信号を電波によって送信する。
【００４８】
＜アナログ回路５２０＞
アナログ回路５２０は、増幅器５２１と、発振器５２２と、ミキサ５２３と、アナログフィルタ５２４と、ＡＤＣ５２５と、ＤＡＣ５２６と、発振器５２７と、ミキサ５２８と、増幅器５２９と、を備える。
【００４９】
増幅器５２１は、受信アンテナ５１１から出力された受信信号を可変の増幅量によって増幅してミキサ５２３へ出力する。発振器５２２は、所定周波数のクロック信号を発振してミキサ５２３へ出力する。ミキサ５２３は、増幅器５２１から出力された受信信号と、発振器５２２から出力されたクロック信号と、を乗算することによって受信信号の周波数をベースバンド帯に変換する。ミキサ５２３は、周波数を変換した受信信号をアナログフィルタ５２４へ出力する。
【００５０】
アナログフィルタ５２４は、ミキサ５２３から出力された受信信号を透過させてＡＤＣ５２５へ出力する。また、アナログフィルタ５２４は、透過する受信信号に所定の透過特性を与える。たとえば、アナログフィルタ５２４は、所定の周波数のみを透過させるＬＰＦ（Ｌｏｗ  Ｐａｓｓ  Ｆｉｌｔｅｒ：ローパスフィルタ）やＢＰＦ（Ｂａｎｄ  Ｐａｓｓ  Ｆｉｌｔｅｒ：バンドパスフィルタ）等である。
【００５１】
ＡＤＣ５２５（Ａｎａｌｏｇ／Ｄｉｇｉｔａｌ  Ｃｏｎｖｅｒｔｅｒ：アナログ／デジタル変換器）は、アナログフィルタ５２４から出力された受信信号をアナログ信号からデジタル信号に変換する。そして、ＡＤＣ５２５は、デジタル信号に変換した受信信号をデジタルベースバンド信号処理部５３０へ出力する。
【００５２】
ＤＡＣ５２６（Ｄｉｇｉｔａｌ／Ａｎａｌｏｇ  Ｃｏｎｖｅｒｔｅｒ：デジタル／アナログ変換器）は、デジタルベースバンド信号処理部５３０から出力された送信信号をデジタル信号からアナログ信号に変換する。そして、ＤＡＣ５２６は、アナログ信号に変換した送信信号をミキサ５２８へ出力する。発振器５２７は、所定周波数のクロック信号を発振してミキサ５２８へ出力する。
【００５３】
ミキサ５２８は、ＤＡＣ５２６から出力された送信信号と、発振器５２７から出力されたクロック信号と、を乗算することによって送信信号の周波数を高周波帯に変換する。ミキサ５２８は、周波数を変換した送信信号を増幅器５２９へ出力する。増幅器５２９は、ミキサ５２８から出力された送信信号を可変の増幅量によって増幅して送信アンテナ５１２へ出力する。
【００５４】
＜デジタルベースバンド信号処理部５３０＞
デジタルベースバンド信号処理部５３０は、アナログ回路５２０から出力された受信信号の受信処理を行う。たとえば、デジタルベースバンド信号処理部５３０は、無線端末５００と無線通信を行う基地局からの受信信号に含まれる、上記のシステム帯域幅Ｎｄｌおよび測定帯域Ｎｍｅａｓを示す情報を取得する。
【００５５】
また、測定回路１００はデジタルベースバンド信号処理部５３０に適用することができる。測定回路１００は、アナログ回路５２０から出力された受信信号と、デジタルベースバンド信号処理部５３０において受信信号から取得されたシステム帯域幅Ｎｄｌおよび測定帯域Ｎｍｅａｓを示す情報と、に基づいてＲＳＲＰおよびＲＳＲＱを測定する。
【００５６】
また、デジタルベースバンド信号処理部５３０は、無線端末５００から送信すべき送信信号を生成し、生成した送信信号をアナログ回路５２０へ出力する。たとえば、デジタルベースバンド信号処理部５３０は、測定回路１００によって測定されたＲＳＲＰおよびＲＳＲＱを含む基地局宛の送信信号を生成してアナログ回路５２０へ出力する。これにより、無線端末５００における受信信号に基づいて測定したＲＳＲＰおよびＲＳＲＱを基地局へ通知（報告）することができる。
【００５７】
デジタルベースバンド信号処理部５３０は、たとえばＦＰＧＡ（Ｆｉｅｌｄ  Ｐｒｏｇｒａｍｍａｂｌｅ  Ｇａｔｅ  Ａｒｒａｙ）やＤＳＰ（Ｄｉｇｉｔａｌ  Ｓｉｇｎａｌ  Ｐｒｏｃｅｓｓｏｒ）等のプロセッサにより実現することができる。
【００５８】
（実施の形態１にかかる測定回路の動作）
図６は、実施の形態１にかかる測定回路の動作の一例を示すフローチャートである。測定回路１００は、たとえば、基地局への所定の報告周期ごとに、図６に示す各ステップを実行する。まず、測定回路１００は、受信信号に基づいて時間領域でＲＳＳＩを測定する（ステップＳ６０１）。つぎに、測定回路１００は、受信信号に基づいてＲＳＲＰを測定する（ステップＳ６０２）。
【００５９】
つぎに、測定回路１００は、ステップＳ６０２によって測定したＲＳＲＰに基づいて、ステップＳ６０１によって測定したＲＳＳＩを補正する（ステップＳ６０３）。つぎに、測定回路１００は、ステップＳ６０２によって測定したＲＳＲＰと、ステップＳ６０３によって補正したＲＳＳＩと、に基づいてＲＳＲＱを算出する（ステップＳ６０４）。
【００６０】
つぎに、測定回路１００は、ステップＳ６０２によって測定したＲＳＲＰおよびステップＳ６０４によって算出したＲＳＲＱを接続中の基地局等に報告し（ステップＳ６０５）、一連の動作を終了する。ステップＳ６０５において、たとえば、測定回路１００は、ＲＳＲＰおよびＲＳＲＱを格納した基地局宛の送信信号を生成してＤＡＣ５２６へ出力する。これにより、送信信号が送信アンテナ５１２から基地局へ無線送信され、ＲＳＲＰおよびＲＳＲＱを基地局へ報告することができる。
【００６１】
（測定回路の変形例）
図７−１は、測定回路の変形例を示す図である。図７−２は、図７−１に示した測定回路における信号の流れの一例を示す図である。図７−１，図７−２において、図１−１，図１−２に示した部分と同様の部分については同一の符号を付して説明を省略する。図７−１，図７−２に示すように、ＲＳＳＩ測定部１１０は、時間領域で測定したＲＳＳＩをＲＳＲＱ算出部１４０へ出力してもよい。
【００６２】
この場合は、ＲＳＲＱ算出部１４０は、ＲＳＳＩ測定部１１０から出力された補正前のＲＳＳＩと、ＲＳＲＰ測定部１２０から出力されたＲＳＲＰと、に基づいてＲＳＲＱを算出する。そして、ＲＳＲＱ算出部１４０は、算出したＲＳＲＱを補正部１３０へ出力する。補正部１３０は、ＲＳＲＱ算出部１４０から出力されたＲＳＲＱを、ＲＳＲＰ測定部１２０から出力されたＲＳＲＰに基づいて補正する。補正部１３０は、補正したＲＳＲＱを測定回路１００から出力する。
【００６３】
図７−１，図７−２に示したように、補正前のＲＳＳＩとＲＳＲＰに基づいてＲＳＲＱを算出し、算出したＲＳＲＱを、ＲＳＲＰを利用して補正してもよい。この場合も、図１−１，図１−２に示した測定回路１００と同様に、ＲＳＳＩを周波数領域で測定しなくてもＲＳＲＱを精度よく算出することができる。このため、処理量の増大を抑えつつＲＳＲＱを精度よく導出することができる。
【００６４】
このように、実施の形態１にかかる測定回路１００によれば、ＲＳＲＱとともに出力するために測定したＲＳＲＰを利用して、時間領域で測定したＲＳＳＩを補正することにより、ＲＳＳＩを周波数領域で測定しなくてもＲＳＲＱを精度よく算出することができる。このため、処理量の増大を抑えつつＲＳＲＱを精度よく算出することができる。
【００６５】
または、補正前のＲＳＳＩとＲＳＲＰに基づいてＲＳＲＱを算出し、算出したＲＳＲＱを、ＲＳＲＰを利用して補正することにより、ＲＳＳＩを周波数領域で測定しなくてもＲＳＲＱを精度よく算出することができる。このため、処理量の増大を抑えつつＲＳＲＱを精度よく導出することができる。
【００６６】
（実施の形態２）
実施の形態２について、実施の形態１と異なる部分について説明する。たとえば無線端末５００における受信電界強度が低い場合は、無線端末５００の内部の熱雑音によるＲＳＳＩへの影響が大きくなる。
【００６７】
このため、有効帯域（測定帯域Ｎｍｅａｓ）外の熱雑音電力も干渉電力と同様に補正することが求められるが、たとえばアナログフィルタ５２４の影響により、熱雑音電力は周波数方向で一定ではない場合がある。これに対して、実施の形態２にかかる測定回路１００は、熱雑音電力およびアナログフィルタ５２４の周波数応答の情報を用いてＲＳＳＩを補正することにより、より精度の高いＲＳＳＩを得ることができる。
【００６８】
（実施の形態２にかかる測定回路の構成）
図８−１は、実施の形態２にかかる測定回路の構成の一例を示す図である。図８−２は、図８−１に示した測定回路における信号の流れの一例を示す図である。図８−１，図８−２において、図１−１，図１−２に示した部分と同様の部分については同一の符号を付して説明を省略する。図８−１，図８−２に示すように、実施の形態２にかかる測定回路１００は、図１−１，図１−２に示した構成に加えて、熱雑音電力取得部８１０と、周波数応答取得部８２０と、を備える。
【００６９】
熱雑音電力取得部８１０は、たとえば図５−１，図５−２に示したアナログ回路５２０において発生する熱雑音の電力を示す熱雑音電力情報を取得する。たとえば、アナログ回路５２０において発生する熱雑音の電力はアナログ回路５２０の設計の段階で得ることができるため、測定回路１００のメモリに熱雑音電力情報を記憶しておくことができる。この場合は、熱雑音電力取得部８１０は測定回路１００のメモリから熱雑音電力情報を取得する。熱雑音電力取得部８１０は、取得した熱雑音電力情報を補正部１３０へ出力する。
【００７０】
周波数応答取得部８２０は、たとえば図５−１，図５−２に示したアナログフィルタ５２４における周波数応答特性を示す周波数応答情報を取得する。たとえば、アナログフィルタ５２４における周波数応答特性はアナログ回路５２０の設計の段階で得ることができるため、測定回路１００のメモリに周波数応答情報を記憶しておくことができる。この場合は、周波数応答取得部８２０は測定回路１００のメモリから周波数応答情報を取得する。周波数応答取得部８２０は、取得した周波数応答情報を補正部１３０へ出力する。
【００７１】
補正部１３０は、ＲＳＳＩ測定部１１０から出力されたＲＳＳＩを、ＲＳＲＰ測定部１２０から出力されたＲＳＲＰと、熱雑音電力取得部８１０から出力された熱雑音電力情報と、周波数応答取得部８２０から出力された周波数応答情報と、に基づいて補正する。
【００７２】
これにより、受信電界強度に対する熱雑音が大きくても、精度の高いＲＳＳＩを得ることができる。このため、ＲＳＲＱ算出部１４０においてＲＳＲＱを精度よく算出することができる。
【００７３】
（アナログフィルタの周波数応答特性）
図９−１は、受信信号の一例を示す図である。図９−１において、横軸は周波数を示し、縦軸は強度を示している。受信信号９１０は、無線端末５００のアナログフィルタ５２４より前段における受信信号を示している。有効帯域９０１は、受信信号９１０の有効帯域を示している。
【００７４】
たとえば、有効帯域９０１は上記のシステム帯域幅Ｎｄｌである。受信信号９１０は、干渉信号やノイズ成分等も含んでおり、図９−１に示すように、有効帯域９０１の外側の帯域にもノイズ成分等を含んでいる。有効帯域９０１の外側においては、熱雑音電力Ｎの分だけ受信信号９１０の強度が高くなっている。
【００７５】
図９−２は、アナログフィルタの透過特性の一例を示す図である。図９−２において、横軸は周波数を示し、縦軸は透過率を示している。透過特性９２０は、アナログフィルタ５２４における周波数に対する透過率の特性である。透過特性９２０に示すように、アナログフィルタ５２４は、有効帯域９０１においては透過率が高く、有効帯域９０１の外側の帯域においては透過率が低くなっている。周波数応答取得部８２０が取得する周波数応答情報は、たとえば図９−２に示した透過特性９２０を示す情報である。
【００７６】
図９−３は、アナログフィルタを透過した受信信号の一例を示す図である。図９−３において、横軸は周波数を示し、縦軸は強度を示している。受信信号９３０は、無線端末５００のアナログフィルタ５２４を透過した受信信号を示している。図９−２に示した透過特性９２０により、受信信号９３０は、図９−１に示した受信信号９１０のうちの有効帯域９０１の成分のみが抽出された信号になる。
【００７７】
（アナログ回路の熱雑音電力）
図１０−１は、アナログ回路において発生する熱雑音の一例を示す図である。図１０−１において、横軸は周波数を示し、縦軸は強度を示している。熱雑音１０１０は、アナログ回路５２０において発生する熱雑音を示している。熱雑音１０１０は、たとえば、アナログ回路５２０の自由電子の不規則な熱運動によって生じる雑音であり、デジタルベースバンド信号処理部５３０からみた熱雑音電力は、アナログ回路５２０の全体として評価することができる。
【００７８】
熱雑音電力取得部８１０が取得する熱雑音電力情報は、たとえば熱雑音１０１０を示す情報である。補正部１３０は、熱雑音電力取得部８１０から出力された熱雑音電力情報が示す熱雑音１０１０のうちの、基地局等から通知された測定帯域Ｎｍｅａｓに含まれる熱雑音を抽出し、抽出した熱雑音の電力を算出することができる。これにより、測定帯域Ｎｍｅａｓに含まれる熱雑音電力Ｎａを得ることができる。たとえば、熱雑音電力Ｎａは、熱雑音１０１０において測定帯域Ｎｍｅａｓに含まれる部分の各強度を積分することによって算出することができる。
【００７９】
図１０−２は、アナログフィルタによる熱雑音の変化の一例を示す図である。図１０−２において、横軸は周波数を示し、縦軸は強度を示している。図１０−１に示した熱雑音１０１０は、アナログフィルタ５２４により、図１０−２に示す熱雑音１０２０のようになる。すなわち、図９−２に示した透過特性９２０により、熱雑音１０２０は、有効帯域９０１（図９−２参照）の成分のみが抽出された雑音になる。
【００８０】
補正部１３０は、熱雑音電力取得部８１０から出力された熱雑音電力情報が示す熱雑音１０１０と、周波数応答取得部８２０から出力された周波数応答情報が示す透過特性９２０と、に基づいて熱雑音１０２０を得る。たとえば、補正部１３０は、熱雑音１０１０の強度と、透過特性９２０の透過率と、を周波数ごとに乗算することによって熱雑音１０２０を得ることができる。これにより、システム帯域幅Ｎｄｌ（有効帯域９０１）に含まれる熱雑音電力Ｎを得ることができる。たとえば、熱雑音電力Ｎは、熱雑音１０２０の各強度を積分することによって算出することができる。
【００８１】
（ＲＳＳＩ測定部によって測定されるＲＳＳＩ）
図１１−１は、ＲＳＳＩ測定部によって測定されるＲＳＳＩの一例を示す図である。図１１−１において、図４−１に示した部分と同様の部分については同一の符号を付して説明を省略する。
【００８２】
図１１−１に示すように、時間領域によって測定されるＲＳＳＩ４００には、測定対象セルの信号電力４１０と、サービングセルからの干渉電力４２０と、熱雑音電力１１１０と、が含まれる。また、時間領域によって測定されるＲＳＳＩ４００には、システム帯域幅Ｎｄｌの全域の干渉電力に加え、システム帯域幅Ｎｄｌよりも広域の熱雑音電力も含まれる。このため、ＲＳＳＩ４００には、測定帯域Ｎｍｅａｓの外側の干渉電力および熱雑音電力も含まれる。
【００８３】
信号電力４１０の大きさをＳとし、干渉電力４２０の大きさをＩとし、熱雑音電力１１１０の大きさをＮとする。この場合は、ＲＳＳＩ測定部１１０によって測定されるＲＳＳＩ４００の大きさは、たとえば下記（５）式によって示すことができる。
【００８４】
【数５】
2014132733.tif 000007
【００８５】
（周波数領域で測定した場合のＲＳＳＩ）
図１１−２は、周波数領域で測定した場合のＲＳＳＩの一例を示す図である。図１１−２において、図１１−１に示した部分と同様の部分については同一の符号を付して説明を省略する。受信信号をＦＦＴにより周波数領域に変換してＲＳＳＩを測定した場合は、図１１−２に示すように、測定帯域ＮｍｅａｓのみのＲＳＳＩ４０１が測定される。図１１−２に示す干渉電力４２１は、測定帯域Ｎｍｅａｓに含まれる干渉電力である。干渉電力４２１の大きさをＩａとする。図１１−２に示す熱雑音電力１１１１は、測定帯域Ｎｍｅａｓに含まれる熱雑音電力である。熱雑音電力１１１１の大きさをＮａとする。
【００８６】
ＲＳＳＩ４０１の大きさをＲＳＳＩａとすると、ＲＳＳＩａはたとえば下記（６）式により示すことができる。すなわち、時間領域で測定された干渉電力Ｉを、システム帯域幅Ｎｄｌと測定帯域Ｎｍｅａｓとの比により換算し、換算した干渉電力を測定対象セルの信号電力Ｓおよび熱雑音電力Ｎａに加えることによりＲＳＳＩａを算出することができる。
【００８７】
【数６】
2014132733.tif 000008
【００８８】
上記（６）式に上記（５）式を代入すると、測定帯域ＮｍｅａｓのみのＲＳＳＩ４０１の大きさＲＳＳＩａは下記（７）式のように示すことができる。
【００８９】
【数７】
2014132733.tif 000009
【００９０】
また、上記のように、たとえばＲＳＳＩは１２サブキャリアにわたって測定される場合は、信号電力４１０の大きさＳは、ＲＳＲＰ測定部１２０によって測定されたＲＳＲＰを用いて下記（８）式のように示すことができる。
【００９１】
【数８】
2014132733.tif 000010
【００９２】
補正部１３０は、ＲＳＳＩ測定部１１０から出力されたＲＳＳＩを、上記（７）式および上記（８）式と、ＲＳＲＰと、システム帯域幅Ｎｄｌと、測定帯域Ｎｍｅａｓと、熱雑音電力１１１０の大きさＮと、熱雑音電力１１１１の大きさＮａと、によって補正する。これにより、ＲＳＳＩ４０１の大きさＲＳＳＩａを得ることができる。
【００９３】
補正部１３０は、測定帯域ＮｍｅａｓのみのＲＳＳＩ４０１の大きさＲＳＳＩａをＲＳＲＱ算出部１４０へ出力する。ＲＳＲＰは、ＲＳＲＰ測定部１２０から補正部１３０へ出力するＲＳＲＰである。システム帯域幅Ｎｄｌおよび測定帯域Ｎｍｅａｓは、たとえば基地局等から通知されることにより既知である。
【００９４】
熱雑音電力１１１０の大きさＮは、熱雑音電力情報に基づいて、熱雑音１０２０の各強度を積分することによって算出することができる（たとえば図１０−２参照）。熱雑音電力１１１１の大きさＮａは、熱雑音電力情報および周波数応答情報に基づいて、熱雑音１０１０において測定帯域Ｎｍｅａｓに含まれる部分の各強度を積分することによって算出することができる（たとえば図１０−１参照）。
【００９５】
このように、補正部１３０は、ＲＳＳＩ測定部１１０によって測定されたＲＳＳＩから、測定帯域Ｎｍｅａｓとは異なる帯域の干渉電力および熱雑音電力を除く補正を行う。このとき、補正部１３０は、ＲＳＲＰと、システム帯域幅Ｎｄｌと、測定帯域Ｎｍｅａｓと、アナログフィルタ５２４の周波数応答特性を示す情報と、アナログ回路５２０の熱雑音を示す情報と、を用いる。
【００９６】
これにより、たとえば、所定数のリソースブロック上で基準信号を含むＯＦＤＭシンボルで観測されるトータル受信電力（セービングセル、隣接セル、熱雑音など）の平均値という、３ＧＰＰにおいて定義されたＲＳＳＩを得ることができる。
【００９７】
（実施の形態２にかかる無線端末の動作）
図１２は、実施の形態２にかかる無線端末の動作の一例を示すフローチャートである。測定回路１００は、たとえば、基地局への所定の報告周期ごとに、図１２に示す各ステップを実行する。図１２に示すステップＳ１２０１〜Ｓ１２０５は、図６に示したステップＳ６０１〜Ｓ６０５と同様である。
【００９８】
ただし、ステップＳ１２０３において、測定回路１００は、ステップＳ１２０２によって測定したＲＳＲＰと、熱雑音電力情報と、周波数応答情報と、に基づいて、ステップＳ１２０１によって測定したＲＳＳＩを補正する（ステップＳ１２０３）。これにより、より精度の高いＲＳＳＩを得ることができる。このため、ステップＳ１２０５において、より精度の高いＲＳＲＱを基地局等へ報告することができる。
【００９９】
このように、実施の形態２にかかる測定回路１００によれば、アナログフィルタ５２４の周波数応答特性を示す情報と、アナログ回路５２０の熱雑音を示す情報と、に基づいて、時間領域で測定されたＲＳＳＩを補正することができる。これにより、ＲＳＲＱをより精度よく算出することができる。
【０１００】
また、実施の形態２において、図７−１，図７−２に示したように、補正前のＲＳＳＩとＲＳＲＰに基づいてＲＳＲＱを算出してもよい。この場合は、算出したＲＳＲＱを、ＲＳＲＰと、アナログフィルタ５２４の周波数応答特性を示す情報と、アナログ回路５２０の熱雑音を示す情報と、に基づいて補正することができる。これにより、図８−１，図８−２に示した測定回路１００と同様に、ＲＳＲＱをより精度よく算出することができる。
【０１０１】
（ＲＳＳＩの測定結果）
図１３は、ＲＳＳＩの測定結果の一例を示す図である。図１３において、横軸はＲＳＳＩ［ｄＢｍ］を示し、縦軸は確率分布を示している。理想値１３０１は、理想的なＲＳＳＩの確率分布を示している。測定結果１３０２は、周波数領域によって測定されたＲＳＳＩの確率分布を参考として示している。測定結果１３０２においては、理想値１３０１を中心にＲＳＳＩが分布している。
【０１０２】
測定結果１３０３（時間領域  補正前）は、ＲＳＳＩ測定部１１０において時間領域によって測定されたＲＳＳＩの確率分布を示している。有効帯域外の干渉電力により、測定結果１３０３においては、理想値１３０１からずれた値を中心にＲＳＳＩが分布している。測定結果１３０４（時間領域  補正後）は、ＲＳＳＩ測定部１１０において時間領域によって測定されたＲＳＳＩを補正部１３０が補正したＲＳＳＩの確率分布を示している。測定結果１３０４においては、周波数領域による測定結果１３０３と同様に、理想値１３０１からずれた値を中心にＲＳＳＩが分布している。
【０１０３】
このように、時間領域で測定したＲＳＳＩをＲＳＲＰにより補正することにより、周波数領域でＲＳＳＩを測定する構成に近いＲＳＳＩを得ることができる。このため、処理量の増大を抑えつつＲＳＲＱを精度よく導出することができる。
【０１０４】
以上説明したように、測定回路、無線通信装置および測定方法によれば、基準信号受信品質を効率よく測定することができる。
【０１０５】
上述した各実施の形態に関し、さらに以下の付記を開示する。
【０１０６】
（付記１）無線通信装置の受信信号に基づく受信信号強度を時間領域で測定する第１測定部と、
前記受信信号に含まれる基準信号に基づく基準信号受信電力を測定する第２測定部と、
前記第１測定部によって測定された受信信号強度を、前記第２測定部によって測定された基準信号受信電力に基づいて補正する補正部と、
前記第２測定部によって測定された基準信号受信電力と、前記補正部によって補正された基準信号受信電力と、の比を示す基準信号受信品質を算出する算出部と、
を備え、前記第２測定部によって測定された基準信号受信電力と、前記算出部によって算出された基準信号受信品質と、を出力することを特徴とする測定回路。
【０１０７】
（付記２）前記補正部は、前記基準信号受信電力と、前記受信信号の帯域と、所定の測定帯域と、に基づいて、前記第１測定部によって測定された受信信号強度から、前記測定帯域とは異なる帯域の干渉電力を除く補正を行うことを特徴とする付記１に記載の測定回路。
【０１０８】
（付記３）前記補正部は、
前記基準信号受信電力に基づく、前記第１測定部によって測定された受信信号強度に含まれる前記基準信号の電力と、
前記第１測定部によって測定された受信信号強度と、前記受信信号強度に含まれる前記基準信号の電力と、の差に基づく、前記第１測定部によって測定された受信信号強度に含まれる干渉信号の電力に、前記受信信号の帯域と前記測定帯域との比を乗じた電力と、
の和を示す電力を算出することにより、前記第１測定部によって測定された受信信号強度を補正した受信信号強度を得ることを特徴とする付記２に記載の測定回路。
【０１０９】
（付記４）他の無線通信装置との間で無線通信を行う無線通信装置において、
受信信号に基づく受信信号強度を時間領域で測定する第１測定部と、
前記受信信号に含まれる基準信号に基づく基準信号受信電力を測定する第２測定部と、
前記第１測定部によって測定された受信信号強度を、前記第２測定部によって測定された基準信号受信電力に基づいて補正する補正部と、
前記第２測定部によって測定された基準信号受信電力と、前記補正部によって補正された基準信号受信電力と、の比を示す基準信号受信品質を算出する算出部と、
前記第２測定部によって測定された基準信号受信電力と、前記算出部によって算出された基準信号受信品質と、を前記他の無線通信装置へ通知する通知部と、
を備えることを特徴とする無線通信装置。
【０１１０】
（付記５）無線受信した信号を透過させ所定の周波数応答特性を有するアナログフィルタと、前記アナログフィルタを透過した信号をデジタル信号に変換する変換部と、を含むアナログ回路を備え、
前記受信信号は、前記変換部によってデジタル信号に変換された信号であり、
前記補正部は、前記周波数応答特性を示す情報と、前記アナログ回路の熱雑音を示す情報と、に基づいて、前記第１測定部によって測定された受信信号強度を補正することを特徴とする付記４に記載の無線通信装置。
【０１１１】
（付記６）前記補正部は、前記基準信号受信電力と、前記受信信号の帯域と、所定の測定帯域と、前記周波数応答特性を示す情報と、前記アナログ回路の熱雑音を示す情報と、に基づいて、前記第１測定部によって測定された受信信号強度から、前記測定帯域とは異なる帯域の干渉電力および熱雑音電力を除く補正を行うことを特徴とする付記５に記載の無線通信装置。
【０１１２】
（付記７）前記補正部は、
前記基準信号受信電力に基づく、前記第１測定部によって測定された受信信号強度に含まれる前記基準信号の電力と、
前記第１測定部によって測定された受信信号強度から、前記受信信号強度に含まれる前記基準信号の電力および前記熱雑音の電力を減じた電力に基づく、前記第１測定部によって測定された受信信号強度に含まれる干渉信号の電力に、前記受信信号の帯域と前記測定帯域との比を乗じた電力と、
前記周波数応答特性を示す情報と、前記アナログ回路の熱雑音を示す情報と、に基づく、前記第１測定部によって測定された受信信号強度に含まれる前記測定帯域における熱雑音の電力と、
の和を示す電力を算出することにより、前記第１測定部によって測定された受信信号強度を補正した受信信号強度を得ることを特徴とする付記６に記載の無線通信装置。
【０１１３】
（付記８）無線通信装置の受信信号に基づく受信信号強度を時間領域で測定する第１測定部と、
前記受信信号に含まれる基準信号に基づく基準信号受信電力を測定する第２測定部と、
前記第１測定部によって測定された受信信号強度と、前記第２測定部によって測定された基準信号受信電力と、の比を示す基準信号受信品質を算出する算出部と、
前記算出部によって算出された基準信号受信品質を、前記第２測定部によって測定された基準信号受信電力に基づいて補正する補正部と、
を備え、前記第２測定部によって測定された基準信号受信電力と、前記補正部によって補正された基準信号受信品質と、を出力することを特徴とする測定回路。
【０１１４】
（付記９）他の無線通信装置との間で無線通信を行う無線通信装置において、
受信信号に基づく受信信号強度を時間領域で測定する第１測定部と、
前記受信信号に含まれる基準信号に基づく基準信号受信電力を測定する第２測定部と、
前記第１測定部によって測定された受信信号強度と、前記第２測定部によって測定された基準信号受信電力と、の比を示す基準信号受信品質を算出する算出部と、
前記算出部によって算出された基準信号受信品質を、前記第２測定部によって測定された基準信号受信電力に基づいて補正する補正部と、
前記第２測定部によって測定された基準信号受信電力と、前記補正部によって補正された基準信号受信品質と、を前記他の無線通信装置へ通知する通知部と、
を備えることを特徴とする無線通信装置。
【０１１５】
（付記１０）無線通信装置の受信信号に基づく受信信号強度を時間領域で測定し、
前記受信信号に含まれる基準信号に基づく基準信号受信電力を測定し、
測定した前記受信信号強度を、測定した前記基準信号受信電力に基づいて補正し、
測定した前記基準信号受信電力と、補正した前記基準信号受信電力と、の比を示す基準信号受信品質を算出し、
測定した前記基準信号受信電力と、算出した前記基準信号受信品質と、を出力する、
ことを特徴とする測定方法。
【０１１６】
（付記１１）無線通信装置の受信信号に基づく受信信号強度を時間領域で測定し、
前記受信信号に含まれる基準信号に基づく基準信号受信電力を測定し、
測定した前記受信信号強度と、測定した前記基準信号受信電力と、の比を示す基準信号受信品質を算出し、
算出した前記基準信号受信品質を、測定した前記基準信号受信電力に基づいて補正し、
測定した前記基準信号受信電力と、補正した前記基準信号受信品質と、を出力する、
ことを特徴とする測定方法。
【符号の説明】
【０１１７】
１００  測定回路
１１０  ＲＳＳＩ測定部
１２０  ＲＳＲＰ測定部
１３０  補正部
１４０  ＲＳＲＱ算出部
２０１  サブフレーム
２０２  ＯＦＤＭシンボル
３１０，３２０  信号
４００，４０１  ＲＳＳＩ
４１０  信号電力
４２０，４２１  干渉電力
５００  無線端末
５１１  受信アンテナ
５１２  送信アンテナ
５２０  アナログ回路
５２１，５２９  増幅器
５２２，５２７  発振器
５２３，５２８  ミキサ
５２４  アナログフィルタ
５２５  ＡＤＣ
５２６  ＤＡＣ
５３０  デジタルベースバンド信号処理部
８１０  熱雑音電力取得部
８２０  周波数応答取得部
９０１  有効帯域
９１０，９３０  受信信号
９２０  透過特性
１０１０，１０２０  熱雑音
１１１０，１１１１  熱雑音電力
１３０１  理想値
１３０２〜１３０４  測定結果
【図１−１】
2014132733.tif 000011
【図１−２】
2014132733.tif 000012
【図２】
2014132733.tif 000013
【図３−１】
2014132733.tif 000014
【図３−２】
2014132733.tif 000015
【図４−１】
2014132733.tif 000016
【図４−２】
2014132733.tif 000017
【図５−１】
2014132733.tif 000018
【図５−２】
2014132733.tif 000019
【図６】
2014132733.tif 000020
【図７−１】
2014132733.tif 000021
【図７−２】
2014132733.tif 000022
【図８−１】
2014132733.tif 000023
【図８−２】
2014132733.tif 000024
【図９−１】
2014132733.tif 000025
【図９−２】
2014132733.tif 000026
【図９−３】
2014132733.tif 000027
【図１０−１】
2014132733.tif 000028
【図１０−２】
2014132733.tif 000029
【図１１−１】
2014132733.tif 000030
【図１１−２】
2014132733.tif 000031
【図１２】
2014132733.tif 000032
【図１３】
2014132733.tif 000033